(57)【特許請求の範囲】
【請求項１】
光源を備える表示装置において、
上記光源に電力を供給する点灯装置を内蔵する本体部と、
上記光源を内蔵する光源ユニットと、上記光源が発する光により照らされる表示パネルであって上記光源ユニットに連結された表示パネルとを有する表示ユニットであって、上記本体部に着脱可能に取り付けられ、上記本体部に取り付けられた状態からスライド移動させることにより上記本体部から取り外すことが可能な表示ユニットと、
上記表示ユニットが備える上記表示パネルを露出させる開口を形成する開口部を有し、上記本体部に取り付けられた上記表示ユニットを覆うように上記本体部に固定される枠部と
を有し、
上記本体部は、上記表示ユニットを支持する支持部を備え、
上記表示ユニットは、上記支持部に取り付けられる表示係合部を備え、
上記枠部は、上記表示ユニットが備える上記表示係合部が上記支持部に取り付けられた状態で、上記開口部を上記表示パネルと係合させて上記本体部に固定される
ことを特徴とする表示装置。
【請求項２】
上記表示係合部は、上記支持部の上に乗せられることにより上記支持部に取り付けられ、
上記枠部は、上記表示係合部が上記支持部に乗せられた状態で、上記開口部を上記表示パネルと係合させて上記本体部に固定される
ことを特徴とする請求項１に記載の表示装置。
【請求項３】
光源を備える表示装置において、
上記光源に電力を供給する点灯装置を内蔵する本体部と、
上記光源を内蔵する光源ユニットと、上記光源が発する光により照らされる表示パネルであって上記光源ユニットに連結された表示パネルとを備える表示ユニットと、
上記表示ユニットを取り付ける表示取付部であって、上記本体部に着脱可能に取り付けられ、上記本体部に取り付けられた状態からスライド移動させることにより上記本体部から取り外すことが可能な表示取付部と、
上記表示ユニットが備える上記表示パネルを露出させる開口を形成する開口部を有し、上記表示取付部に取り付けられた上記表示ユニットを覆うように上記本体部に固定される枠部と
を有し、
上記表示取付部は、上記表示ユニットを支持する支持部を備え、
上記表示ユニットは、上記表示取付部の上記支持部に取り付けられる表示係合部を備え、
上記枠部は、上記表示ユニットが備える上記表示係合部が上記支持部に取り付けられた状態で、上記開口部を上記表示パネルと係合させて上記本体部に固定される
ことを特徴とする表示装置。
【請求項４】
上記表示取付部は、上記本体部に取り付けられた状態から上方向にスライド移動させることにより上記本体部から取り外すことが可能であり、
上記表示ユニットの上記表示係合部は、上記本体部に取り付けられた上記表示取付部が備える上記支持部の上に乗せられることにより上記支持部に取り付けられ、
上記枠部は、上記表示係合部が上記支持部に乗せられた状態で、上記開口部を上記表示パネルと係合させて上記本体部に固定される
ことを特徴とする請求項３に記載の表示装置。
【請求項５】
所定の図柄を表示する表示ユニットと、
請求項１から４のいずれか１項に記載の表示装置と、
上記表示ユニットに供給する電力を蓄積し、上記本体部に上記表示ユニットを取り付けた状態で交換可能な充電池と、
を有することを特徴とする誘導灯装置。
【発明の詳細な説明】
【技術分野】
【０００１】
この発明は、誘導灯装置などの表示装置に関する。
【背景技術】
【０００２】
誘導灯装置などの表示装置には、その設置場所などに合わせて、例えば、片面型・両面型、直付型・埋込型など様々な外形のものがある。
【先行技術文献】
【特許文献】
【０００３】
【特許文献１】特開２０００−３４００１３号公報
【特許文献２】特開２００２−３０４１４０号公報
【特許文献３】特開２００９−３７９９８号公報
【発明の概要】
【発明が解決しようとする課題】
【０００４】
これら様々な外形の表示装置を製造する場合、それぞれの外形に対応した部品が必要となる。
この発明は、例えば、上記のような課題を解決するためになされたものであり、様々な外形の表示装置において、部品の共通化を促進することにより、表示装置の製造コストを抑えることを目的とする。
【課題を解決するための手段】
【０００５】
光源を備える表示装置において、上記光源に電力を供給する点灯装置を内蔵する本体部と、上記本体部に着脱可能に取り付けられ、上記本体部に取り付けられた状態からスライド移動させることにより上記本体部から取り外すことが可能であって、前記光源と前記光源が発する光により照らされる表示パネルとを備える表示ユニットと、上記表示ユニットが備える上記表示パネルを露出させる開口を形成する開口部を有し、上記本体部に取り付けられた上記表示ユニットを覆うように上記本体部に固定される枠部とを有し、上記本体部は、上記表示ユニットを支持する支持部を備え、上記表示ユニットは、上記支持部の取り付けられる表示係合部を備え、上記枠部は、上記表示ユニットが備える上記表示係合部が上記支持部に取り付けられた状態で、上記開口部を上記表示パネルと係合させて上記本体部に固定されることを特徴とする。
【発明の効果】
【０００６】
この発明にかかる表示装置によれば、様々な外形の表示装置において、共通の表示ユニットを使用できるので、表示装置の製造コストを抑えることができる。
【図面の簡単な説明】
【０００７】
【図１】誘導灯装置８０１，８０２の外観を示す全体斜視図。
【図２】表示ユニット２０１，２０２の外観を示す拡大斜視図。
【図３】誘導灯装置８０３，８０４の外観を示す全体斜視図。
【図４】異なる二つの方向から枠部３０１を見た斜視図。
【図５】異なる二つの方向から本体部１０２を見た斜視図。
【図６】表示取付部５０１の形状を示す正視図。
【図７】セットプレート１７０の外観を示す斜視図。
【図８】異なる二つの方向から本体枠１６０を見た斜視図。
【図９】本体枠１６０の形状を示す拡大正視図。
【図１０】ガイド金具７０１の形状を示す拡大正視図。
【図１１】本体枠１６０に、表示取付部５０１、ガイド金具７０１を取り付けた様子を示す斜視図。
【図１２】誘導灯装置８０５，８０６の外観を示す全体斜視図。
【図１３】異なる２つの方向から枠部３０２を見た斜視図。
【図１４】異なる２つの方向から枠部３０３を見た斜視図。
【図１５】本体部１０３を示す斜視図。
【図１６】本体枠１６５に、表示取付部５０１、ガイド金具７０１を取り付けた様子を示す斜視図。
【図１７】誘導灯装置８０７の外観を示す斜視図。
【図１８】枠部３０４の形状を示す斜視図。
【図１９】本体部１０３の形状を示す斜視図。
【図２０】表示取付部５０２の形状を示す正視図。
【図２１】誘導灯装置８０８の外観を示す斜視図。
【図２２】枠部３０５の形状を示す斜視図。
【図２３】本体部１０４の形状を示す斜視図。
【発明を実施するための形態】
【０００８】
実施の形態１．
実施の形態１について、図１〜図２３を用いて説明する。
【０００９】
図１は、誘導灯装置８０１，８０２の外観を示す全体斜視図である。
誘導灯装置８０１，８０２は、天井などに埋め込んで使用する誘導灯装置である。誘導灯装置８０１は、片面タイプであり、誘導灯装置８０２は、両面タイプである。
誘導灯装置８０１及び誘導灯装置８０２は、共通の本体部１０１を有する。誘導灯装置８０１は、片面表示タイプの表示ユニット２０１を有する。誘導灯装置８０２は、両面表示タイプの表示ユニット２０２を有する。
本体部１０１は、天井などに埋め込まれる部分であり、端子台、電源回路、蓄電池などを内蔵している。端子台は、商用電源などの電源から電力を入力する。電源回路は、端子台が入力した電力を変換する。蓄電池は、電源回路が変換した電力により充電され、停電時には、逆に、電源回路に電力を供給する。
【００１０】
図２は、表示ユニット２０１，２０２の外観を示す拡大斜視図である。
表示ユニット２０１は、光源ユニット２１１、表示パネル２２０、表示ユニット枠２３１を有する。表示パネル２２０は、例えば避難誘導を表わす図柄など所定の図柄が表示されている。光源ユニット２１１は、例えばＬＥＤや冷陰極ランプなどの光源（図示せず）を内蔵している。光源ユニット２１１の光源は、本体部１０１から供給される電力により点灯する。表示ユニット枠２３１は、光源ユニット２１１が内蔵する光源が発した光を、表示パネル２２０を均一に照らす面状の光に変換する導光板を内蔵している。光源ユニット２１１は、両脇に表示係合部２６１を有する。表示係合部２６１は、本体部１０１の本体係合部（図示せず）と係合することにより、表示ユニット２０１を本体部１０１に固定する。
表示ユニット２０２は、光源ユニット２１２、２つの表示パネル２２０、表示ユニット枠２３２を有する。光源ユニット２１２は、光源ユニット２１１と同様、ＬＥＤなどの光源を内蔵している。表示パネル２２０は、表示ユニット２０１の表示パネル２２０と共通である。
【００１１】
図３は、誘導灯装置８０３，８０４の外観を示す全体斜視図である。
誘導灯装置８０３，８０４は、天井や壁などに直付けして使用する誘導灯装置である。誘導灯装置８０３は、片面タイプであり、誘導灯装置８０４は、両面タイプである。
誘導灯装置８０３は、本体部１０２、表示ユニット２０１、枠部３０１、点滅装置４１０、状態表示装置４７０を有する。本体部１０２（本体）は、天井や壁などに直付けされる部分であり、端子台、電源回路、充電池などを内蔵している。表示ユニット２０１は、誘導灯装置８０１と共通である。枠部３０１は、表示ユニット２０１を覆う。点滅装置４１０は、例えばキセノンランプやＬＥＤなどの光源を内蔵し、火災信号を受信した場合などの非常時に点滅する。状態表示装置４７０は、充電池の充電状態などを表示するＬＥＤなどを有する。
誘導灯装置８０４は、本体部１０２、２つの表示ユニット２０１、２つの枠部３０１、点滅装置４１０、状態表示装置４７０を有する。本体部１０２、表示ユニット２０１、枠部３０１、点滅装置４１０、状態表示装置４７０は、すべて誘導灯装置８０３と共通である。
【００１２】
図４は、異なる二つの方向から枠部３０１を見た斜視図である。
枠部３０１（カバー）は、化粧面３６１、二つの側面部３６３、上面部３６４、上面折返部３６５、下面部３６６、下面折返部３６７、２つのバネ取付部３７１、２つの取付バネ３７２を有する。
化粧面３６１は、本体部１０２とほぼ同じ大きさの略長方形板状である。開口部３６２は、化粧面３６１に設けられた貫通穴であり、表示ユニット２０１の表示パネル２２０とほぼ同じ大きさの略長方形状である。側面部３６３は、化粧面３６１とほぼ同じ高さの略長方形板状であり、化粧面３６１の側辺に連なり、化粧面３６１に対してほぼ垂直をなす。上面部３６４は、化粧面３６１とほぼ同じ幅の略長方形板状であり、化粧面３６１の上辺に連なり、化粧面３６１及び側面部３６３に対してほぼ垂直をなす。上面折返部３６５は、上面部３６４とほぼ同じ幅の板状であり、上面部３６４の化粧面３６１に連なる辺の対辺に連なり、化粧面３６１とほぼ平行である。下面部３６６は、化粧面３６１とほぼ同じ幅の略長方形板状であり、化粧面３６１の下辺に連なり、化粧面３６１及び側面部３６３に対してほぼ垂直をなす。下面折返部３６７は、下面部３６６とほぼ同じ幅の板状であり、下面部３６６の化粧面３６１に連なる辺の対辺に連なり、化粧面３６１とほぼ平行である。化粧面３６１、側面部３６３、上面部３６４、上面折返部３６５、下面部３６６、下面折返部３６７は、例えば一枚の金属板を折り曲げることにより形成される。
２つのバネ取付部３７１は、化粧面３６１の裏面、左右の側面部３６３に近い位置にそれぞれ設けられている。２つのバネ取付部３７１は、図に示すように、異なる高さに設けられる。これにより、両面型の誘導灯装置８０４において、表側の枠部３０１の取付バネ３７２と、裏側の枠部３０１の取付バネ３７２とが干渉するのを防いでいる。
取付バネ３７２は、バネ取付部３７１に取り付けられたバネである。取付バネ３７２は、例えば折り曲げられた棒状である。取付バネ３７２は、本体部１０２と嵌合することにより、枠部３０１を本体部１０２に着脱自在に固定する。
枠部３０１は、本体部１０２に表示ユニット２０１を取り付けたのち、その上から、本体部１０２に取り付ける。枠部３０１を本体部１０２に取り付けると、開口部３６２から表示パネル２２０が露出する。
【００１３】
図５は、異なる二つの方向から本体部１０２を見た斜視図である。
本体部１０２は、本体枠１６０、セットプレート１７０を有する。
セットプレート１７０は、電源ユニットや点灯ユニットなどを搭載する。
本体枠１６０は、セットプレート１７０を覆うケースである。本体枠１６０は、中空の略直方体箱状である。本体枠１６０は、直方体の６つの面のうち１つの面が、大きく開口している。
本体枠１６０には、表示取付部５０１が、ネジ８３０などの固定具を用いて着脱可能に固定されている。
表示取付部５０１は、表示ユニット２０１を着脱可能に取り付けるための金具である。表示取付部５０１は、表示ユニット２０１を本体部１０２に固定する。
【００１４】
図６は、表示取付部５０１の形状を示す正視図である。
表示取付部５０１（表示板取付金具）は、例えば、１枚の金属板を折り曲げて形成する。表示取付部５０１は、固定部５１１、支持部５２１、止め部５２２、架橋部５３１、補強部５３２を有する。
固定部５１１は、表示取付部５０１を本体部１０２に固定するための部分であり、左右対称に２つ設けられている。固定部５１１は、略長方形板状であり、ダルマ穴５１５、小突起５１４を有する。
ダルマ穴５１５は、大円開口部５１２、小長円開口部５１３からなる。大円開口部５１２は、略円形の貫通穴である。大円開口部５１２の径は、ネジ８３０の頭より大きい。小長円開口部５１３は、大円開口部５１２の上側に連続した略長円形の貫通穴である。小長円開口部５１３の幅は、ネジ８３０の頭より小さく、ネジ８３０のネジ部より大きい。
小突起５１４は、小長円開口部５１３の両脇に設けられた２つの小さな突起である。小突起５１４の間隔は、ネジ８３０の頭より小さい。なお、小突起５１４は、小長円開口部５１３の上端にネジ８３０が位置するとき、ネジ８３０の頭よりも下になる位置に設けられている。
【００１５】
表示取付部５０１を本体枠１６０に取り付けるときの手順は、例えば、以下の通りである。まず、ネジ８３０を本体枠１６０に設けられたネジ穴に緩めに螺合させる。次に、本体枠１６０に取り付けたネジ８３０の頭を大円開口部５１２に通す。そして、表示取付部５０１を下方向にスライドして、小長円開口部５１３の上端にネジ８３０のネジ部を当接させる。最後に、ネジ８３０の頭が小突起５１４に引っ掛かって外れない程度に、ネジ８３０を締める。ネジ８３０の締付力だけで表示取付部５０１を固定する場合と比較して、弱い力でネジ８３０を締めても、ネジ８３０の頭が小突起５１４に引っ掛かることにより、表示取付部５０１が本体枠１６０から外れるのを防ぐことができる。
表示取付部５０１を本体枠１６０から取り外すときは、逆に、ネジ８３０を緩め、表示取付部５０１を上方向（取外方向）に移動させ、ネジ８３０の頭を、大円開口部５１２に通す。このように、ダルマ穴５１５を用いることにより、ネジ８３０を完全に外すことなく、表示取付部５０１を取り外すことができる。
【００１６】
支持部５２１は、表示ユニット２０１の表示係合部２６１を乗せることにより、表示ユニット２０１を着脱可能に取り付けるための部分であり、左右対称に２つ設けられている。支持部５２１は、略長方形板状であり、固定部５１１に対して略垂直であり、固定部５１１の下側の辺に奥側の辺が連なっている。
止め部５２２は、表示ユニット２０１の表示係合部２６１が支持部５２１から外れるのを防ぐための部分であり、左右対称に２つ設けられている。止め部５２２は、略長方形板状であり、固定部５１１に対して略平行であり、支持部５２１の手前側の辺に下側の辺が連なっている。
架橋部５３１は、２つの固定部５１１を所定の間隔で接続するための部分である。架橋部５３１は、略長方形板状であり、２つの固定部５１１と略同一平面上であり、固定部５１１の内側の辺に左右の辺が連なっている。
補強部５３２は、架橋部５３１を補強するための部分である。補強部５３２は、略長方形板状であり、架橋部５３１に対して略垂直であり、支持部５２１に対して略平行である。補強部５３２は、架橋部５３１の上側の辺に手前側の辺が連なっている。
【００１７】
表示取付部５０１に表示ユニット２０１を取り付け、その上から、枠部３０１を取り付けると、表示ユニット２０１は、枠部３０１の開口部３６２に係合して、上下左右方向に移動できなくなる。表示ユニット２０１の表示係合部２６１が支持部５２１の上に乗っているので、表示ユニット２０１が固定されたことに伴い、表示取付部５０１も固定される。したがって、表示取付部５０１が上方向（取外方向）に移動することはなく、表示取付部５０１が本体枠１６０から外れるのを防ぐことができる。
【００１８】
図７は、セットプレート１７０の外観を示す斜視図である。
セットプレート１７０は、電源ユニット４２０、点灯ユニット４３０、充電池４４０（蓄電池）、電源端子台４５１、信号端子台４５２〜４５４、点検スイッチ４６０などを取り付ける。本体部１０２の組み立てに際し、電源ユニット４２０などをセットプレート１７０に取り付けてから、本体枠１６０のなかに取り付けることにより、電源ユニット４２０などを直接本体枠１６０のなかに取り付ける場合と比較して、作業性がよく、組み立て作業にかかる時間を短縮できるので、誘導灯装置８０２の製造コストを抑えることができる。
【００１９】
セットプレート１７０は、ユニット取付板１７１を有する。
ユニット取付板１７１は、左右の端が手前方向に折れ曲がった略長方形板状である。ユニット取付板１７１は、開口部１７２〜１７４を有する。
開口部１７２，１７４は、誘導灯装置８０２を壁面に平行に直付けする場合に取付部材を操作するために設けられている。また、開口部１７３は、電源線や制御信号線などの配線を通すために設けられている。なお、開口部１７２，１７４に、電源線や制御信号線などの配線を通してもよい。
【００２０】
電源端子台４５１は、商用電源などの電源からの配線や、電源ユニット４２０などに電力を供給する電源線などを接続する。信号端子台４５２〜４５４は、各ユニット間でやり取りされる制御信号や火災信号などの情報を示す信号を伝達する信号線などを接続する。電源ユニット４２０は、電源端子台４５１に接続された電源線から電力の供給を受け、点灯ユニット４３０に電源を供給する。点灯ユニット４３０は、電源ユニット４２０から供給された電力により、表示ユニット２０１の光源を点灯する。充電池４４０（バッテリー）は、平常時に、電源ユニット４２０から電力の供給を受けて充電され、停電時など給電が途絶えた場合には、予備電源として、充電された電力を逆に電源ユニット４２０に対して供給することにより、表示ユニット２０１の光源を点灯可能にする。点検スイッチ４６０は、充電池４４０の点検をするためのボタン４６１を有する。ボタン４６１が押されると、誘導灯装置８０２は停電時と同じ状態となり、充電池４４０に充電された電力で、光源を点灯する。これにより、充電池４４０の故障有無や寿命判定、充電状態を確認することができる。
【００２１】
このように、セットプレート１７０に電源ユニット４２０などの部品を取り付けることにより、配線や部品の取り付けが容易となる。
【００２２】
セットプレート１７０上での部品の配置は任意でよいが、充電池４４０は、表示取付部５０１に表示ユニット２０１を取り付けたとき、表示ユニット２０１の下（投影面上）にならず、交換可能な位置に配置することが好ましい。これにより、表示ユニット２０１を外すことなく、枠部３０１を外すだけで、充電池４４０の交換ができるので、誘導灯装置８０３のメンテナンスが容易になる。
また、表示取付部５０１を取り外すことができるので、信号端子台４５２〜４５４などが、表示取付部５０１の下になる位置に配置されていても、表示取付部５０１を取り外すことにより、配線が可能である。このため、本体部１０２内の空間を有効に利用することができる。
【００２３】
図８は、異なる二つの方向から本体枠１６０を見た斜視図である。
図９は、本体枠１６０の形状を示す拡大正視図である。
【００２４】
本体枠１６０は、背面部６１２、上面部６１３、左面部６１４、右面部６１５、下面部６１６、２つの枠ガイド部６５１，６５２、２つの取付バネ係合部６５３，６５４、折曲部６６１、２つの補強金具６７１，６７２を有する。
【００２５】
背面部６１２は、略長方形板状であり、２つの取付係合部６２１，６２２、２つの配線挿通部６２３，６２４、開口部６２５、８つのネジ穴６４１〜６４８、２つの取付バネ挿通穴６５７，６５８を有する。
取付係合部６２１，６２２及び配線挿通部６２３，６２４（配線挿通孔、電源穴）は、ノックアウト（ポン抜き）により略円形の開口を形成可能になっている。誘導灯装置８０３を壁面に平行に直付けして使用する場合、取付係合部６２１，６２２及び配線挿通部６２３，６２４をノックアウトして開口とし、壁面に取り付けられた取付金具に取付係合部６２１，６２２を係合させることにより、誘導灯装置８０３を壁面に固定する。また、壁面内部から引き出した配線を、配線挿通部６２３，６２４に通し、電源端子台４５１などに接続する。
誘導灯装置８０３を天井面に直付けして使用する場合は、取付係合部６２１，６２２及び配線挿通部６２３，６２４をノックアウトせず、埃などの進入を防ぐ。なお、誘導灯装置８０３が天井面直付け専用である場合、取付係合部６２１，６２２及び配線挿通部６２３，６２４はなくてもよい。また、誘導灯装置８０３が壁面直付け専用である場合、取付係合部６２１，６２２及び配線挿通部６２３，６２４は、ノックアウト形状でなく、初めから開口として形成してもよい。
開口部６２５は、略長方形の開口である。
取付バネ挿通穴６５７，６５８（取付用穴）は、本体枠１６０を両面灯である誘導灯装置８０４に使用する場合に、裏側の枠部３０１のバネ取付部３７１，３７２を挿入するための開口である。
なお、開口部６２５、取付バネ挿通穴６５７，６５８は、取付係合部６２１，６２２や配線挿通部６２３，６２４と同様、必要に応じてノックアウトにより開口を形成可能な形状にしておき、本体枠１６０を、両面灯である誘導灯装置８０４に使用する場合は開口を形成し、片面灯である誘導灯装置８０３に使用する場合は開口を形成しないこととしてもよい。また、本体枠１６０が片面灯専用である場合は、開口部６２５、取付バネ挿通穴６５７，６５８はなくてもよい。
ネジ穴６４１〜６４８は、ネジ８３０と螺合するよう、内側に雌ねじを切った貫通穴である。本体枠１６０を、両面灯である誘導灯装置８０４に用いる場合、ネジ穴６４１，６４２にネジ８３０を螺合して表示取付部５０１を取り付け、ネジ穴６４３〜６４８にネジ８３０を螺合して後述するガイド金具７０１を取り付ける。
【００２６】
上面部６１３は、略長方形板状であり、背面部６１２に対して略垂直であり、背面部６１２の上側の辺に奥側の辺が連なっている。上面部６１３は、２つの取付係合部６３１，６３２、２つの配線挿通部６３３，６３４を有する。
取付係合部６３１，６３２及び配線挿通部６３３，６３４（電源穴）は、ノックアウト（ポン抜き）により略円形の開口を形成可能になっている。誘導灯装置８０３を天井面に直付けして使用する場合、取付係合部６３１，６３２及び配線挿通部６３３，６３４をノックアウトして開口とし、天井面に取り付けられた取付金具に取付係合部６３１，６３２を係合させることにより、誘導灯装置８０２を壁面に固定する。また、天井面内部から引き出した配線を、配線挿通部６３３，６３４に通し、電源端子台４５１などに接続する。
誘導灯装置８０３を壁面に直付けして使用する場合は、取付係合部６３１，６３２及び配線挿通部６３３，６３４をノックアウトせず、埃などの進入を防ぐ。なお、誘導灯装置８０３が壁面直付け専用である場合、取付係合部６３１，６３２及び配線挿通部６３３，６３４はなくてもよい。また、誘導灯装置８０３が天井面直付け専用である場合、取付係合部６３１，６３２及び配線挿通部６３３，６３４は、ノックアウト形状でなく、初めから開口として形成してもよい。
【００２７】
取付係合部６３１，６３２に表示取付部５０１を取り付けて、表示取付部５０１に表示ユニット２０１を取り付ける構造なので、表示取付部５０１の裏側（投影面上）に空間を設けることができる。これにより、その空間に部品を配置することができる。また、表示取付部５０１が取外し可能であることにより、誘導灯装置８０３を天井面や壁面に設置したのちに、表示取付部５０１の裏側に配置した部品を操作することができる。
【００２８】
左面部６１４は、略長方形板状であり、背面部６１２及び上面部６１３に対して略垂直であり、背面部６１２の左側の辺に奥側の辺が連なっている。
右面部６１５は、略長方形板状であり、背面部６１２及び上面部６１３に対して略垂直であり、左面部６１４に対して略平行である。右面部６１５は、背面部６１２の右側の辺に奥側の辺が連なっている。
下面部６１６は、略長方形板状であり、背面部６１２及び左面部６１４及び右面部６１５に対して略垂直であり、上面部６１３に対して略平行である。下面部６１６は、背面部６１２の下側の辺に奥側の辺が連なっている。下面部６１６には、点滅装置４１０、状態表示装置４７０などを取付るための開口が設けられている。
【００２９】
枠ガイド部６５１，６５２は、細長い板状であり、背面部６１２及び上面部６１３及び下面部６１６に対して略垂直であり、左面部６１４及び右面部６１５に対して略平行である。枠ガイド部６５１，６５２は、上面部６１３・左面部６１４・右面部６１５・下面部６１６よりも手前方向に突出していて、枠部３０１の内側に係合することにより、枠部３０１の位置がずれるのを防ぐ。
【００３０】
取付バネ係合部６５３，６５４は、枠部３０１のバネ取付部３７１，３７２と係合して、枠部３０１を取り付ける部分である。取付バネ係合部６５３，６５４には、それぞれ、取付バネ挿通穴６５５，６５６がある。取付バネ挿通穴６５５，６５６は、枠部３０１のバネ取付部３７１，３７２を挿入するための開口である。
【００３１】
折曲部６６１は、細長い板状であり、上面部６１３及び左面部６１４及び右面部６１５及び下面部６１６に対して略垂直であり、背面部６１２に対して略平行である。折曲部６６１は、上面部６１３の手前側の辺に上側の辺が連なっている。折曲部６６１は、２つの取付金具取付部６６２，６６３を有する。
取付金具取付部６６２，６６３は、表示取付部５０１を取り付けるための部分である。取付金具取付部６６２，６６３は、それぞれ、ネジ８３０と螺合するネジ穴を有する。表示取付部５０１は、取付金具取付部６６２，６６３のネジ穴に螺合したネジ８３０と係合することにより、本体枠１６０に取り付けられる。
【００３２】
補強金具６７１，６７２は、背面部６１２の内側に位置し、取付バネ挿通穴６５７，６５８を補強する。補強金具６７１は、左面部６１４と一体に形成されている。補強金具６７２は、右面部６１５と一体に形成されている。なお、補強金具６７１，６７２は、左面部６１４、右面部６１５から独立した別部品として形成してもよい。
【００３３】
図１０は、ガイド金具７０１の形状を示す拡大正視図である。
ガイド金具７０１（位置決め用部材、枠ガイド金具）は、本体枠１６０を用いて両面灯である誘導灯装置８０４を構成する場合に、本体枠１６０の背面部６１２に取り付けて使用する。ガイド金具７０１は、本体枠１６０の裏側に取り付ける枠部３０１と係合することにより、枠部３０１の位置がずれるのを防ぐ。
【００３４】
ガイド金具７０１は、例えば、一枚の金属板を折り曲げて形成する。ガイド金具７０１は、基部７１０、ガイド部７２０、Ｌ字開口部７３０を有する。
基部７１０は、本体枠１６０の背面部６１２と当接する部分である。基部７１０は、略長方形板状であり、３つのネジ穴７１１〜７１３を有する。ネジ穴７１１〜７１３には、ネジ８３０のネジ部を挿通する。ガイド金具７０１は、ネジ穴７１１〜７１３に挿通されたネジ８３０により、本体枠１６０に固定される。
ガイド部７２０は、略長方計板状であり、基部７１０の長辺に、長辺が連なっている。
Ｌ字開口部７３０は、基部７１０からガイド部７２０にかけて設けられた略長方形状の開口である。Ｌ字開口部７３０は、枠部３０１のバネ取付部３７１，３７２を通すために設けられている。
【００３５】
図１１は、本体枠１６０に、表示取付部５０１、ガイド金具７０１を取り付けた様子を示す斜視図である。
両面灯である誘導灯装置８０４に本体枠１６０を用いる場合、背面部６１２の外側に、表示取付部５０１、２つのガイド金具７０１を取り付けて使用する。
【００３６】
ガイド金具７０１のネジ穴７１１〜７１３にネジ８３０のネジ部を通し、本体枠１６０のネジ穴６４３〜６４８に、ガイド金具７０１のネジ穴７１１〜７１３を通したネジ８３０のネジ部を螺合することにより、ガイド金具７０１を本体枠１６０に取り付ける。
また、ネジ穴６４１，６４２にネジ８３０を螺合し、ネジ穴６４１，６４２に螺合したネジ８３０に表示取付部５０１を引っ掛けることにより、表示取付部５０１を本体枠１６０に取り付ける。
【００３７】
これにより、同じ本体枠１６０を、片面灯である誘導灯装置８０３と、両面灯である誘導灯装置８０４との両方に使用することができる。
表示取付部５０１やガイド金具７０１を取り付けなければ、本体枠１６０の背面部６１２の裏側はほぼ平らであるから、誘導灯装置８０３を壁面に平行に直付けする場合は、邪魔になるものがなく、また、誘導灯装置８０３を天井面に直付けする場合は、誘導灯装置８０３の美観を損ねることがない。
また、本体部１０２の背面側に枠部３０１を取り付ける場合、ガイド金具７０１により、容易に位置決めをすることができ、取り付け後にガイド金具７０１がずれるのを防止することができる。
【００３８】
図１２は、誘導灯装置８０５，８０６の外観を示す全体斜視図である。
誘導灯装置８０５，８０６は、天井や壁などに直付けして使用する誘導灯装置である。誘導灯装置８０５は、片面タイプであり、誘導灯装置８０６は、両面タイプである。
誘導灯装置８０５，８０６は、音声出力機能を有する。例えば、誘導灯装置８０５，８０６は、非常時に、サイレン音を発したり、合成音声による避難誘導の案内をしたりする。
誘導灯装置８０５は、本体部１０３、表示ユニット２０１、枠部３０２を有する。このうち、表示ユニット２０１は、誘導灯装置８０１，８０３，８０４と共通である。
誘導灯装置８０６は、本体部１０３、２つの表示ユニット２０１、２つの枠部３０２，３０３を有する。本体部１０２、表示ユニット２０１、枠部３０２は、すべて誘導灯装置８０５と共通である。
【００３９】
図１３は、異なる２つの方向から枠部３０２を見た斜視図である。
なお、枠部３０１と共通する部分については、同一の符号を付し、説明を省略する。
【００４０】
枠部３０２は、枠部３０１よりも横方向に長く、表側から見て、開口部３６２の左側に音声出力部３６８を有する。音声出力部３６８は、例えば、多数の円形貫通穴により形成されていて、本体部１０３が内蔵するスピーカーなどから発せられた音声を外部へ出力する。
【００４１】
図１４は、異なる２つの方向から枠部３０３を見た斜視図である。
なお、枠部３０２と共通する部分については、同一の符号を付し、説明を省略する。
【００４２】
枠部３０３は、枠部３０２とは逆に、表側から見て、開口部３６２の右側に音声出力部３６８を有する。
【００４３】
図１５は、本体部１０３を示す斜視図である。
なお、本体部１０２と共通する部分については、同一の符号を付し、説明を省略する。
本体部１０３は、本体枠１６５、セットプレート１７５を有する。
本体枠１６５は、本体枠１６０よりも横幅が大きい点が本体枠１６０と異なる。
セットプレート１７５は、セットプレート１７０よりも横幅が大きく、電源ユニット４２０や点灯ユニット４３０などに加えて、更に、スピーカー４８０、音声ユニット４９０を搭載する。音声ユニット４９０は、スピーカー４８０が出力するサイレン音や避難誘導の合成音声などを生成する。スピーカー４８０は、音声ユニット４９０が生成した音声などを出力する。
本体枠１６５には、表示取付部５０１が、ネジ８３０などの固定具を用いて着脱可能に固定されている。表示取付部５０１は、表示ユニット２０１を取り付けるための金具であり、誘導灯装置８０２，８０３に用いられるものと共通である。
【００４４】
図１６は、本体枠１６５に、表示取付部５０１、ガイド金具７０１を取り付けた様子を示す斜視図である。
本体枠１６５を、両面灯である誘導灯装置８０６に用いる場合、本体枠１６５の背面部６１２に、表示取付部５０１、２つのガイド金具７０１を取り付ける。表示取付部５０１，ガイド金具７０１は、誘導灯装置８０４に用いられるものと共通である。
表示取付部５０１、ガイド金具７０１を取り付けなければ、本体枠１６５の裏面は、ほぼ平らであり、片面灯である誘導灯装置８０５に用いることができる。
【００４５】
このように、表示取付部５０１やガイド金具７０１は、異なるタイプの誘導灯装置で共通して用いることができる。
【００４６】
図１７は、誘導灯装置８０７の外観を示す斜視図である。
誘導灯装置８０７は、壁面に埋め込んで使用する誘導灯装置である。誘導灯装置８０７は、本体部１０３、表示ユニット２０１、枠部３０４、点滅装置４１０、点検スイッチ４６０、状態表示装置４７０を有する。このうち、表示ユニット２０１、点滅装置４１０、点検スイッチ４６０、状態表示装置４７０は、誘導灯装置８０２〜８０５と共通である。
【００４７】
図１８は、枠部３０４の形状を示す斜視図である。
枠部３０４は、開口部３６２に加えて、開口部３８１〜３８３を有する。
開口部３８１は、開口部３６２の右側に位置し、点滅装置４１０を出すための貫通穴である。開口部３８２は、開口部３６２の左下に位置し、点検スイッチ４６０のボタン４６１を出すための貫通穴である。開口部３８３は、開口部３６２の右下に位置し、状態表示装置４７０を出すための貫通穴である。
【００４８】
図１９は、本体部１０３の形状を示す斜視図である。
本体部１０３は、本体枠１６６、セットプレート１７６を有する。
本体枠１６６には、表示取付部５０２が、ネジ８３０などの固定具を用いて着脱可能に固定されている。
表示取付部５０２は、表示ユニット２０１を着脱可能に取り付けるための金具である。
【００４９】
図２０は、表示取付部５０２の形状を示す正視図である。
なお、表示取付部５０１と共通する部分は、同一の符号を付し、説明を省略する。
架橋部５３１は、括れ部５３３を除き、固定部５１１とほぼ同じ高さで、固定部５１１と連続している。補強部５３２は、架橋部５３１に対して支持部５２１と同じ側にあり、支持部５２１と連続している。ダルマ穴５１５は、横向きであり、小長円開口部５１３が大円開口部５１２の左側に位置する。
したがって、表示取付部５０２の取り付け取外しの際には、表示取付部５０２を横方向に移動する。表示取付部５０２に表示ユニット２０１を取り付けた状態で、その上から枠部３０４を取り付けると、表示ユニット２０１が枠部３０１の開口部３６２と係合して固定されるので、表示取付部５０２が固定され、表示取付部５０２が左方向へ移動しなくなるので、表示取付部５０２が本体枠１６６から外れるのを防ぐことができる。
【００５０】
なお、表示取付部５０２ではなく、表示取付部５０１を誘導灯装置８０７に使用する構成としてもよい。逆に、表示取付部５０２を、誘導灯装置８０２〜８０６に使用する構成としてもよい。
【００５１】
図２１は、誘導灯装置８０８の外観を示す斜視図である。
誘導灯装置８０８は、誘導灯装置８０７と同様、壁面に埋め込んで使用する誘導灯装置であり、誘導灯装置８０５，８０６と同様、音声出力機能を有する。誘導灯装置８０８は、本体部１０４、表示ユニット２０１、点滅装置４１０、点検スイッチ４６０、状態表示装置４７０を有する。このうち、表示ユニット２０１、枠部３０５、点滅装置４１０、点検スイッチ４６０、状態表示装置４７０は、誘導灯装置８０２〜８０７と共通である。
【００５２】
図２２は、枠部３０５の形状を示す斜視図である。
なお、枠部３０４と共通する部分は、同一の符号を付し、説明を省略する。
枠部３０５は、開口部３６２の左側に音声出力部３６８を有する。
【００５３】
図２３は、本体部１０４の形状を示す斜視図である。
本体部１０４は、本体枠１６７、セットプレート１７７を有する。
セットプレート１７７は、電源ユニット４２０や点灯ユニット４３０に加えて、更に、スピーカー４８０、音声ユニット４９０を搭載する。
【００５４】
誘導灯装置８０７と同様、本体部１０４に表示取付部５０２を取り付け、表示取付部５０２に表示ユニット２０１を取り付けることにより、本体枠１６７に表示ユニット２０１を固定する。
【００５５】
この実施の形態における表示装置（誘導灯装置８０３〜８０８）は、光源を内蔵する表示ユニット２０１を取り付けて使用するものであり、上記表示ユニット２０１に電力を供給する点灯装置（点灯ユニット４３０）を内蔵する本体部１０１〜１０４と、上記本体部１０１〜１０４に固定され、上記表示ユニット２０１を着脱可能に取り付け可能である表示取付部５０１，５０２と、上記本体部１０１〜１０４に着脱可能に取り付けられ、上記表示取付部５０１，５０２に取り付けられた上記表示ユニット２０１を覆う枠部３０１〜３０５とを有するので、同じ表示ユニット２０１を多くの種類の表示装置で使用することができ、表示装置の製造コストを抑えることができる。
【００５６】
この実施の形態における表示装置（誘導灯装置８０３〜８０８）において、上記表示取付部５０１，５０２は、上記本体部１０１〜１０４に固定された状態から所定の取外方向（上方向または左方向）に移動させることにより上記本体部１０１〜１０４から取り外すことが可能であり、上記表示ユニット２０１を取り付けると上記取外方向に移動しないので、表示取付部５０１，５０２が外れるのを防ぐことができる。
【００５７】
この実施の形態における表示装置（誘導灯装置８０３〜８０６）は、上記本体部１０１，１０２に着脱可能に固定され、上記枠部３０１，３０３を着脱可能に取り付け可能な枠取付部（ガイド金具７０１）を有するので、同じ本体部１０１，１０２を、多くの種類の表示装置で使用することができ、表示装置の製造コストを抑えることができる。
【００５８】
この実施の形態における表示装置（誘導灯装置８０３〜８０６）は、２つの上記表示取付部５０１と、２つの上記枠部３０１〜３０３とを有し、上記枠部のうち第一の枠部３０１，３０２は、上記表示取付部５０１のうち第一の表示取付部５０１に取り付けられた第一の表示ユニット２０１を覆い、上記枠部のうち第二の枠部３０１，３０３は、上記表示取付部５０１のうち第二の表示取付部５０１に取り付けられた第二の表示ユニット２０１を覆い、上記本体部１０１，１０２は、上記第一の枠部３０１，３０２を着脱可能に取り付け可能であり、上記枠取付部（ガイド金具７０１）は、上記第二の枠部３０１，３０３を着脱可能に取り付け可能であるので、同じ本体部１０１，１０２を用いて、１つの表示ユニット２０１を有する片面灯と、２つの表示ユニット２０１を有する両面灯との両方を構成することができ、表示装置の製造コストを抑えることができる。
【００５９】
この実施の形態における表示装置（８０３〜８０８）は、上記表示ユニット２０１に供給する電力を蓄積し、上記表示取付部５０１，５０２に上記表示ユニット２０１を取り付けた状態で交換可能な充電池４４０を有するので、蓄電池の交換が容易であり、表示装置の保守コストを抑えることができる。
【００６０】
この実施の形態における誘導灯装置８０３〜８０８は、所定の図柄を表示する表示ユニット２０１と、上記表示装置とを有するので、同じ部品を、多くの種類の誘導灯装置で使用することができ、誘導灯装置の製造コストを抑えることができる。
【００６１】
この実施の形態における表示装置によれば、本体製造の際の部材を共通化し、一部加工のみで片面表示用・両面表示用の本体を安価に製造でき、部品点数が少なく、生産歩留まりがよい。
【００６２】
以上の実施の形態では以下の表示装置、誘導灯装置の一例を説明した。
光源を備える表示装置において、上記光源に電力を供給する点灯装置を内蔵する本体部と、上記本体部に着脱可能に取り付けられ、上記本体部に取り付けられた状態から上方向に移動させることにより上記本体部から取り外すことが可能な表示取付部と、前記光源と前記光源が発する光により照らされる表示パネルとを備える表示ユニットであって、上記本体部に取り付けられた上記表示取付部に取り付けられる表示ユニットと、上記表示ユニットが備える上記表示パネルを露出させる開口を形成する開口部を有し、上記表示取付部に取り付けられた上記表示ユニットを覆うように上記本体部に固定される枠部とを有し、上記表示取付部は、上記表示ユニットを支持する支持部を備え、上記表示ユニットは、上記表示取付部の上記支持部の上に乗せられる表示係合部を備え、上記枠部は、上記表示ユニットが備える上記表示係合部が上記支持部の上に乗せられた状態で、上記開口部を上記表示パネルと係合させて上記本体部に固定されることを特徴とする表示装置。
【００６３】
上記表示装置は、上記本体部に着脱可能に固定され、上記枠部を着脱可能に取り付け可能な枠取付部を有することを特徴とする表示装置。
【００６４】
上記表示装置は、２つの上記表示取付部と、２つの上記枠部とを有し、上記枠部のうち第一の枠部は、上記表示取付部のうち第一の表示取付部に取り付けられた第一の表示ユニットを覆い、上記枠部のうち第二の枠部は、上記表示取付部のうち第二の表示取付部に取り付けられた第二の表示ユニットを覆い、上記本体部は、上記第一の枠部を着脱可能に取り付け可能であり、上記枠取付部は、上記第二の枠部を着脱可能に取り付け可能であることを特徴とする表示装置。
【００６５】
上記表示装置は、上記表示ユニットに供給する電力を蓄積し、上記表示取付部に上記表示ユニットを取り付けた状態で交換可能な充電池を有することを特徴とする表示装置。
【００６６】
所定の図柄を表示する表示ユニットと、上記表示装置とを有する誘導灯装置。
【符号の説明】
【００６７】
１０１〜１０４  本体部、１６０，１６５〜１６７  本体枠、１７０，１７５〜１７７  セットプレート、１７１  ユニット取付板、１７２〜１７４  開口部、２０１，２０２  表示ユニット、２１１，２１２  光源ユニット、２２０  表示パネル、２３１，２３２  表示ユニット枠、２６１  表示係合部、３０１〜３０５  枠部、３６１  化粧面、３６２  開口部、３６３  側面部、３６４  上面部、３６５  上面折返部、３６６  下面部、３６７  下面折返部、３６８  音声出力部、３７１  バネ取付部、３７２  取付バネ、３８１〜３８３  開口部、４１０  点滅装置、４２０  電源ユニット、４３０  点灯ユニット、４４０  充電池、４５１  電源端子台、４５２〜４５４  信号端子台、４６０  点検スイッチ、４６１  ボタン、４７０  状態表示装置、４８０  スピーカー、４９０  音声ユニット、５０１，５０２  表示取付部、５１１  固定部、５１２  大円開口部、５１３  小長円開口部、５１４  小突起、５１５  ダルマ穴、５２１  支持部、５２２  止め部、５３１  架橋部、５３２  補強部、５３３  括れ部、６１２  背面部、６１３  上面部、６１４  左面部、６１５  右面部、６１６  下面部、６２１，６２２，６３１，６３２  取付係合部、６２３，６２４，６３３，６３４  配線挿通部、６２５  開口部、６４１〜６４８  ネジ穴、６５１，６５２  枠ガイド部、６５３，６５４  取付バネ係合部、６５５〜６５８  取付バネ挿通穴、６６１  折曲部、６６２，６６３  取付金具取付部、６７１，６７２  補強金具、７０１  ガイド金具、７１０  基部、７１１，７１２，７１３  ネジ穴、７２０  ガイド部、７３０  Ｌ字開口部、８０１〜８０８  誘導灯装置、８３０  ネジ。
【図１】
0005726245.tif 000002
【図２】
0005726245.tif 000003
【図３】
0005726245.tif 000004
【図４】
0005726245.tif 000005
【図５】
0005726245.tif 000006
【図６】
0005726245.tif 000007
【図７】
0005726245.tif 000008
【図８】
0005726245.tif 000009
【図９】
0005726245.tif 000010
【図１０】
0005726245.tif 000011
【図１１】
0005726245.tif 000012
【図１２】
0005726245.tif 000013
【図１３】
0005726245.tif 000014
【図１４】
0005726245.tif 000015
【図１５】
0005726245.tif 000016
【図１６】
0005726245.tif 000017
【図１７】
0005726245.tif 000018
【図１８】
0005726245.tif 000019
【図１９】
0005726245.tif 000020
【図２０】
0005726245.tif 000021
【図２１】
0005726245.tif 000022
【図２２】
0005726245.tif 000023
【図２３】
0005726245.tif 000024